(57)【要約】      （修正有）【課題】メモリースティック（商標）と、ＳＤカード（商標）と、メモリースティックＤｕｏ（商標）とを選択的に接続可能とするカード用コネクタを実現する。【解決手段】メモリースティック（商標）１０とＳＤカード（商標）２０とメモリースティックＤｕｏ（商標）３０に共通の挿入口５１を有し、挿入口５１の奥部に、制御機構を有する。制御機構は、ドア部材と、複合機能部材と、規制部材とを有し、メモリースティックＤｕｏ３０が挿入されたときに、接続される位置を規制する。メモリースティック１０或いはＳＤカード２０が挿入されたときには、ドア部材は押し開かれる。メモリースティックＤｕｏ３０は規制部材によって接続位置に規制される。メモリースティック１０、ＳＤカード２０又はメモリースティックＤｕｏ３０が接続されると、挿入口５１は接続されたカードでもって塞がれる。【選択図】図２
2008218045.tif 000002
【特許請求の範囲】
【請求項１】
第１のカードが接続されるよう配置してある第１のコンタクト部材と、
幅が前記第１のカードより広く、厚さが前記第１のカードより薄い第２のカードが接続されるよう配置してある第２のコンタクト部材と、
幅が前記第１及び第２のカードより狭く、厚さが前記第１及び第２のカードより薄い第３のカードが接続されるよう配置してある第３のコンタクト部材と、
前記第１のカード、第２のカード、第３のカードを選択的に接続可能とすると共に、前記第１のカード、第２のカード、第３のカードのいずれかが接続されたときには、他のカードが接続されないようにする制御手段を有するカード用コネクタ。
【請求項２】
前記制御手段は、
第１のカード、第２のカード及び第３のカードが共通に挿入され、接続されたカードによって塞がれる共通カード挿入口と、
前記共通カード挿入口と連通するカード収容空間に設けてあり、前記第３のカードの接続位置を規制し、前記第１のカード又は第２のカードが挿入されたときには規制をしない第３のカード用規制手段よりなる請求項１記載のカード用コネクタ。
【請求項３】
前記第３のカード用規制手段は、
上側を回動可能に支持されており、閉じられた状態でその下側に前記第３のカードのための第３のカード用挿入口を形成し、前記第１のカード又は第２のカードが挿入されたときに前記第１のカード又は第２のカードによって押されて回動されて開かれるドア部材と、
一端を前記ドア部材に接続されて前記ドア部材の背面側に配置してあり、前記ドア部材が開くように回動されたときにこれと連動して円弧を描くようにして変位可能であり、前記ドア部材が閉じているときの位置において、前記第３のカード用挿入口を通って挿入された前記第３のカードの上面を規制する第３のカード用規制部材と、
前記ドア部材を、垂直の状態とされて閉じられた状態にロックしており、前記第３のカードが挿入されたときにはロックした状態を維持し、前記第１のカード又は第２のカードが挿入されたときにロックを解除させるロック手段を有する請求項２記載のカード用コネクタ。
【請求項４】
前記第３のカード用規制手段は、
前記ドア部材が閉じているときの位置にある前記第３のカード用規制部材の前記ドア部材の側とは反対側の部位を、前記の挿入された第３のカードの上面から離れる方向へ変位しないように規制する規制機構を更に有する請求項３記載のカード用コネクタ。
【請求項５】
前記第３のカード用規制手段は、
前記カード用コネクタの金属板製のカバー部材の一部を切起こして形成してあり、前記上方に変位した第３のカード用規制部材に作用して、前記第３のカード用規制部材を元の位置及び前記ドア部材を閉じる方向に付勢する板ばね部を更に有する請求項３記載のカード用コネクタ。
【請求項６】
前記ロック手段手段は、
前記ドア部材の一部を係止する部分を有する金属板製の部材よりなり、
前記金属板製の部材は、挿入される前記第１のカード及び第２のカードを案内するカード案内部を有する請求項３記載のカード用コネクタ。
【請求項７】
前記制御手段は、
第１のカード及び第２のカードが共通に挿入され、接続されたカードによって塞がれる共通カード挿入口と、
前記共通カード挿入口と連通するカード収容空間の上側に配置され、出入り可能であり、前記第３のカードが載せられて挿入されたときに前記第３のカードを前記第３のコンタクト部材と接続させる第３のカード用トレイと、
前記第３のカードが載せられて前記第３のカード用トレイが挿入されたときに、前記第１のカード又は第２のカードが前記共通カード挿入口を通して前記カード収容空間内に挿入されないように制限する制限機構よりなる請求項１記載のカード用コネクタ。
【請求項８】
前記制限機構は、前記第３のカードが載せられたとき前記第３のカード用トレイより前記カード収容空間内に突き出す突起部よりなる請求項７記載のカード用コネクタ。
【発明の詳細な説明】
【技術分野】
【０００１】
本発明はカード用コネクタに係り、特に、ディジタルカメラ等の電子機器に組み込まれ、幅及び厚さが相違する第１、第２、第３のメモリーカードが選択的に装着可能であり、三種類のメモリーカードに適用可能である構成のメモリーカード用コネクタに関する。
【背景技術】
【０００２】
ディジタルカメラ、携帯オーディオ機器、携帯電話機、電子複写機等の電子機器にはメモリーカード用コネクタが組み込んであり、電子機器は、半導体記憶素子が内蔵してあるメモリーカードをメモリーカード用コネクタに装着された状態で使用される。
【０００３】
現在、メモリーカードは複数種類存在しており、これらは、長さ、幅、厚さの外形寸法が相違している。よって、電子機器を複数種類のメモリーカードに適用可能な構成にしようとする場合には、通常は、電子機器に、第１のメモリーカードに専用の第１のメモリーカード用コネクタと、第２のメモリーカードに専用の第２のメモリーカード用コネクタとを並べて組み込んだ構成となる。しかし、小型化が求められている電子機器においては、メモリーカード用コネクタを２つ組み込むことは望ましくない。
【０００４】
この問題を解決するカード用コネクタとして、一つのメモリーカード挿入口から第１のメモリーカード及び第２のメモリーカードのいずれもが選択的に挿入されて装着可能である構成である二種類のメモリーカードに適用可能である構成としたメモリーカード用コネクタが、以下に挙げる特許公報で提案されている。
【特許文献１】特開２００６−１９６３０２号公報
【特許文献２】特開２００５−２０９５５０号公報
【特許文献２】特開２００２−２４７７１号公報
【発明の開示】
【発明が解決しようとする課題】
【０００５】
しかし、これらは二種類のメモリーカードに適用可能である構成のものである。近年、メモリーカードは多く使用されるようになってきており、三種類のメモリーカードに適用可能としたメモリーカード用コネクタの要求が出てきている。
【０００６】
そこで、本発明は、上記課題を解決したカード用コネクタを提供することを目的とする。
【課題を解決するための手段】
【０００７】
本発明は、第１のカードが接続されるよう配置してある第１のコンタクト部材と、
幅が前記第１のカードより広く、厚さが前記第１のカードより薄い第２のカードが接続されるよう配置してある第２のコンタクト部材と、
幅が前記第１及び第２のカードより狭く、厚さが前記第１及び第２のカードより薄い第３のカードが接続されるよう配置してある第３のコンタクト部材と、
前記第１のカード、第２のカード、第３のカードを選択的に接続可能とすると共に、前記第１のカード、第２のカード、第３のカードのいずれかが接続されたときには、他のカードが接続されないようにする制御手段を有する。
【発明の効果】
【０００８】
第１のカード及び第２のカードに加えて、幅が前記第１及び第２のカードより狭く、厚さが前記第１及び第２のカードより薄い第３のカードも接続することが可能となる。また、第１のカード、第２のカード、第３のカードのいずれかが接続されたときには、他のカードが接続されないようにでき、誤って二種類のカードが接続される不都合が防止できる。
【発明を実施するための最良の形態】
【０００９】
次に本発明の実施の形態について説明する。
【実施例１】
【００１０】
各図中、Ｘ１−Ｘ２は幅方向、Ｙ１−Ｙ２は長手方向、Ｚ１−Ｚ２は厚さ（高さ）方向である。Ｙ１はメモリーカードをメモリーカード用コネクタに挿入する方向、Ｙ２はメモリーカードがイジェクトされる方向である。
【００１１】
先ず、メモリーカード用コネクタに装着される第１、第２、第３のメモリーカードについて説明する。
【００１２】
図１は各メモリーカードを表裏反転した状態で示す。各メモリーカードは、内部にＩＣメモリを有し、挿入方向の先端側にコンタクト１１，２１，３１が並んでいる構成である。
【００１３】
図１（Ａ）は第１のメモリーカード（メモリースティック（商標））１０であり、幅Ｗ１（２１．５ｍｍ）、長さＬ１（５０ｍｍ）、厚さＴ１（２．８ｍｍ）を有する。
【００１４】
図１（Ｂ）は第２のメモリーカード（ＳＤカード（商標））２０であり、幅Ｗ２（２４ｍｍ）、長さＬ２（３２ｍｍ）、厚さＴ２（２．１ｍｍ）を有する。
【００１５】
図１（Ｃ）は第３のメモリーカード（メモリースティックＤｕｏ（商標））３０であり、幅Ｗ３（２０ｍｍ）、長さＬ３（３１ｍｍ）、厚さＴ３（１．６ｍｍ）を有する。以下、メモリーカードを単にカードという。
【００１６】
図１（Ｄ）は第１、第２、第３のカード１０，２０，３０の幅、長さ、厚さを示す表である。長さはＬ１>Ｌ２>Ｌ３の関係にあり、幅はＷ２>Ｗ１>Ｗ３の関係にあり、厚さはＴ１>Ｔ２>Ｔ３の関係にある。
【００１７】
第１カード１０と第２のカード２０とは、長さ方向（Ｙ１−Ｙ２方向）に垂直の断面（Ｗ１×Ｔ１）、（Ｗ２×Ｔ２）が略同じであって、第の１カード１０の長さＬ１が長く、第の２カード２０の長さＬ２が短い関係にある。第３のカード３０は、幅Ｗ３が、上記幅Ｗ１、Ｗ２よりも狭く、厚さＴ３が、上記厚さＴ１、Ｔ２よりも薄く、長さ方向に垂直の断面（Ｗ３×Ｔ２）のサイズが前記の断面（Ｗ１×Ｔ１）、（Ｗ２×Ｔ２）のサイズより小さい関係にある。また、第３のカード３０の長さＬ３は、上記の長さＬ１、Ｌ２よりも短い。
［メモリーカード用コネクタ５０の概略］
図２は本発明の第１実施例のメモリーカード用コネクタ５０を第１、第２、第３のメモリーカード１０、２０、３０と対応させて示す。以下、「メモリーカード」は単に「カード」と省略する。
【００１８】
カード用コネクタ５０は、図２に示すように、下側ハウジング６０と、この上面に重ねられた上側ハウジング８０と、この上側ハウジング８０を覆う金属板製のカバー部材９０とよりなる構造であり、長さＬ１０、幅Ｗ１０、高さＨ１０の偏平の直方体形状を有し、内部に、第１、第２及び第２のカード用コンタクト部材６１，６２，６３及びハートカム機構を利用したプッシュ・プッシュ式のカードイジェクト機構（図示せず）を有し、Ｙ２側に、第１、第２、第３のカード１０、２０、３０に共通である一つのカード挿入口５１を有し、内部に、上記カード挿入口５１と連通するカードを収容するためのカード収容空間５２を有する構成である。第１、第２及び第２のカード用コンタクト部材６１，６２，６３はカード収容空間５２に突き出して設けてある。
【００１９】
カード用コネクタ３０は、コンタクト部材の端子部及びカバー部材９０の端子部を半田付けしてプリント基板上に実装してあり、カード挿入口５１が電子機器の外形の表面に露出している。
【００２０】
第１、第２、第３のカード１０，２０，３０は共にカード挿入口５１に挿入し、手の指先でカードの後端を押して、それ以上の挿入が制限される最終位置まで押し込むことによってカード収容空間５２内に収容されて接続される。挿入は、カード挿入口５１内における位置を定めることなく行えばよい。第１、第３のカード１０，３０については、共にコンタクト１１，３１がＺ２側を向く通常の姿勢で挿入され、第２のカード２０については、コンタクト２１がＺ１側を向いた姿勢、即ち、通常の姿勢とは逆の姿勢で挿入される。
【００２１】
図３（Ａ）、（Ｂ）、（Ｃ）は、カード用コネクタ３０に第１のカード１０が接続された位置と第２のカード２０が接続された位置と第３のカード３０が接続された位置の関係を示す。第１、第２のカード１０，２０はＺ２側の面を同じ高さとされて接続される。第３のカード３０は第１、第２のカード１０，２０よりもＺ２側に位置している。
【００２２】
第１、第２、第３のカード１０，２０，３０の何れかが接続されている状態ではカード挿入口５１は接続されたカードのＹ２方向の端側の部分によって塞がれており、別のカードを挿入することは出来ない。
【００２３】
接続されているカードの後端を手の指先で押してカードを少し押し込み、手の指先を離すことによって、プッシュ・プッシュ式のイジェクト機構が動作して、カードが少し押し出される。操作者は手の指先でカードの後部を掴んで引き出すことによって、カードが取り出される。
［カード用コネクタ５０の構成］
図４はカード用コネクタ５０の縦断側面図である。図４（Ａ）はカード挿入前の状態、図４（Ｂ）はドア部材１１０が開いた状態を示す。図５はカード用コネクタ５０からカバー部材９０をとり外した状態を示す図である。図６は図５において上側ハウジング９０を省略して示す図である。図７は下側ハウジングモジュール７５を示す図である。図８は下側ハウジング６０を示す図である。図９は上側ハウジング８０を示す図である。図１０はカバー部材９０を表裏反転した姿勢で示す。
【００２４】
下側ハウジング６０は、合成樹脂の成形部品であり、第１のカード用コンタクト部材６１と、第３のカード用コンタクト部材６３がインサート成形されている。
【００２５】
下側ハウジング６０は、概略は、板部６５のＸ１側とＸ２側にＹ方向に延在するレール部６６、６７を有し、Ｙ２側から見ると扁平なＵ字形状である。板部６５には、第１、第３のカード１０，３０用の支持面６８ａ、６８ｂ、６８ｃと、第３のカード３０用のガイド支持凹部６９と、開口７０、７１を有する。支持面６８ｂ、６８ｃは、カード挿入口５１のＸ１、Ｘ２側に位置している。ガイド支持凹部６９は、支持面６８ｂと支持面６８ｃとの間に配置してあり、支持面６８ｂ、６８ｃよりＺ２方向に凹んでいる。開口７０内には第１メモリーカード用コンタクト部材６１が配置される。開口７１内には第３メモリーカード用コンタクト部材６３が配置される。レール部６６のＹ１端側には、凹部７２が形成してある。
【００２６】
上側ハウジング８０は、合成樹脂の板状の成形部品であり、第２のカード用コンタクト部材６２がインサート成形されている。
【００２７】
上側ハウジング８０は、開口８１と、開口８２と、突起片８６、８７を有する。開口８１内に第２メモリーカード用コンタクト部材６２が並んでいる。
【００２８】
また、上側ハウジング８０には、略半円状の溝８３，８４が形成してある。溝８３，８４はＺ２側に、Ｙ方向に延在する始端部８３ａ，８４ａを有する。溝８３，８４は後述する規制部材１５０のピン部１５６，１５７が移動するための溝であり、水平の始端部８３ａ，８４ａは、ピン部１５６，１５７のＺ１方向への変位を制限して規制部材１５０の浮き上がりを防止する役割を有する。
【００２９】
上側ハウジング７０は、突起片８６、８７等によって下側ハウジング６０に対する位置を決めされている。なお、始端部８３ａ，８４ａは、溝８３，８４の端の部分と下側ハウジング６０の上面とによって形成される。
【００３０】
開口８２は凹部７２の真上の位置にあり、凹部７２と開口８２との内部には、ハートカム機構を利用したプッシュ・プッシュ式のカードイジェクト機構（図示せず）が組み込んである。
【００３１】
図１０に示すように、カバー部材９０は、天板部９１と側板部９２，９３と背面板部９４を有し、天板部９１から下側に板ばね部９５，９６，９７及びラグ９８が切り起こして形成してある。天板部９１が上側ハウジング７０の上面を覆っている。側板部９２，９３と背面板部９４は、下側ハウジング６０の側面と上側ハウジング８０の側面とを覆っている。板ばね部９５，９６は後述する規制部材１５０を復帰させる役割を有する。
［制御機構１００の構成及び動作］
下側ハウジング６０には、図７  、図１１（Ａ），（Ｂ）、図１２（Ａ），（Ｂ）に示すように、制御機構１００が組み込んである。図１１（Ａ）、図１２（Ａ）は制御機構１００の動作前の状態（図４（Ａ）に対応する）を示し、図１１（Ｂ）、図１２（Ｂ）は制御機構１００の動作したときの状態（図４（Ｂ）に対応する）を示す。
【００３２】
制御手段としての制御機構１００は、ドア部材１１０と、複合機能部材１３０と、規制部材１５０とを有する構成であり、第３のカード３０挿入されたときに、第３のカード３０が接続される位置を規制する機能を有する。制御機構１００は、更に、第１のカード１０挿入されたときに、第１のカード１０を案内して第１のカード１０が接続される位置を決める役割、第２のカード２０挿入されたときに、第２のカード２０を案内して第２のカード２０が接続される位置を決める機能も有する。
【００３３】
図１３（Ａ），（Ｂ）及び図１４（Ａ），（Ｂ）はドア部材１１０を示す。ドア部材１１０は、金属板をプレス成形してなる部材であり、Ｘ方向に細長い板部１１１と、細長板部１の両端のＺ１側の箇所からＸ方向に突き出ている軸部１１２，１１３と、板部１１１のＺ２側の縁よりＹ１方向に突き出ている軸受部１１４、１１５を有する。
【００３４】
細長板部１１１は、本体部１１６と、この両側の端側部１１７，１１８とよりなり、本体部１１６と端側部１１７，１１８との間はスリット１２０，１２１によって仕切られている。本体部１１６の長さＬ２０は図１（Ｂ）に示す第３のカード３０の幅Ｗ３と等しい。また、本体部１１６は、そのＺ２側に、Ｚ２とＹ１との間の方向に傾斜している傾斜部１２２を有する。Ｘ２側の端側部１１８は、Ｘ２方向に突き出たロック片１２３を有する。
【００３５】
図１１（Ａ）、図１２（Ａ）に示すように、このドア部材１１０は、その軸部１１２，１１３を夫々レール部６６、６７の上面の溝部６６ａ，６７ａに係合されて、レール部６６、６７間に横架してある。軸部１１２，１１３は、ドア部材１１０のレール部６６、６７と上側ハウジング８０との間で挟まれた状態となる。
【００３６】
ドア部材１１０が垂直の姿勢にある状態で、本体部１１６の下縁とガイド支持凹部６９との間には、第３のカード３０が丁度に進入可能な大きさの第３のカード用挿入口５１Ｘが形成されている。
【００３７】
図１５は複合機能部材１３０を示す。複合機能部材１３０は、ドア部材１１０を開かないようにロックする機能、第１のカード１０或いは第２のカード２０が挿入されたときにこのロックを解除する機能、挿入されてきた第１のカード１０を案内する機能、挿入されてきた第２のカード２０を案内する機能を有する。
【００３８】
複合機能部材１３０は、金属板をプレス成形してなる部材であり、Ｙ方向に長い形状の本体部１３１を有し、この本体部１３１のＹ２方向の端にＵ字形状に折り返されたＵ字形状部１３２を有し、この本体部１３１のＹ２方向の端側にＸ２方向に斜めに曲がっている斜め部分１３３を有する。
【００３９】
斜め部分１３３の上縁より、カード案内片１３４がＸ１方向に張り出ている。カード案内片１３４は、Ｙ１方向に変位するに従ってＺ２方向に変位するように傾斜している。１３５はカード案内片１３４の先端部である。
【００４０】
本体部１３１は、その略中央に、逆Ｕ字形状に形成されてＸ１側に突き出ている山形部分１３６、及び、Ｘ１側に突き出た半球形状の突起部１３７を有する。山形部分１３６にはロック用切欠き部１３８を有する。山形部分１３６からは、カード案内片１３９がＹ１とＸ２との間の方向に突き出ている。
【００４１】
この複合機能部材１３０は、図１１（Ａ）、図１２（Ａ）に示すように、Ｕ字形状部１３２と斜め部分１３３とを固定されて、下側ハウジング６０のレール部６７の内側面に取り付けてある。本体部１３１及び山形部分１３６は、Ｕ字形状部１３２と斜め部分１３３とが弾性的に撓むことによってＸ２方向に変位可能である。カード案内片１３４の先端部分はＸ２側からカード挿入口５１に突き出ている。なお、山形部分１３６及び突起部１３７はＺ１側からみて、ガイド支持凹部６９までは突き出てはいない。
【００４２】
また、ロック用切欠き部１３８内にロック片１２３が係合してあり、ドア部材１１０は閉じた位置にロックされている。
【００４３】
図１６は第３のカード用規制部材としての規制部材１５０を示す。規制部材１５０は、挿入された第３のカード３０の先端の近くの部分に作用して、第３のカード３０をＺ２方向に押さえ付ける役割をする。規制部材１５０は、合成樹脂の板状の成形部品であり、Ｙ１側に櫛歯部１５１を有し、Ｙ２側に軸部１５２，１５３を有する。櫛歯部１５１は、隣り合う歯の隙間が、第２メモリーカード用コンタクト部材６２に対応するように形成してある。櫛歯部１５１を構成する複数の歯のうち歯１５４，１５５は、夫々歯の長手方向に延在する傾斜面部１５４ａ，１５５ａと歯の先端の突起部１５４ｂ，１５５ｂａとを有する。また、櫛歯部１５１は、その両端に、ピン部１５６，１５７を有する。規制部材１５０の下面のうち櫛歯部１５１に対応する部分は、Ｚ２方向へ突き出た段部１５８となっている。
【００４４】
規制部材１５０は、図１１（Ａ）、図１２（Ａ）、図５に示すように、Ｙ２側の軸部１５２，１５３を夫々軸受部１１４、１１５に軸支されて、且つ、Ｙ１側のピン部１５６，１５７を略半円状の溝８３，８４の始端部８３ａ，８４ａに嵌合されて、水平の状態で、ドア部材１１０よりもＹ１側の位置に支持されている。規制部材１５０は、Ｙ２側の部位は、閉じた状態にロックされているドア部材１１０に連結されていることによってＺ２方向に変位することを制限されており、Ｙ１側の部位は、ピン部１５６，１５７がＹ方向に延在している始端部８３ａ，８４ａに嵌合していることによってＺ２方向に変位することを制限されている。規制部材１５０の段部１５８とガイド支持凹部６９との間の隙間ｇは、第３のカード３０の厚さＴ３と等しい。また、カバー部材９０の板ばね部９５，９６の先端が、夫々傾斜面部１５４ａ，１５５ａと突起部１５４ｂ，１５５ｂａとの間に位置している。
【００４５】
図１１（Ａ）及び図１２（Ａ）に示す上記構成の制御機構１００において、複合機能部材１３０の本体部１３１が撓んでＸ２方向に変位し、ロック用切欠き部１３８がロック片１２３から外れると、ドア部材１１０が反時計方向に約９０度回動可能となる。ドア部材１１０が回動すると、規制部材１５０は、後述するように円弧を描くようにしてＹ１方向に移動しつつＺ１方向に移動する。
［第１のカード１０の接続］
図１７（Ａ）は第１のカード１０の接続開始時の状態を示し、図１７（Ｂ）は第１のカード１０の接続完了時の状態を示す。
【００４６】
第１のカード１０がカード挿入口５１に挿入されると、先端のＸ２側の部分が、最初にカード案内片１３４によってＺ２方向へ案内され、次いで、カード案内片１３９に案内されて山形部分１３６をＸ２方向に弾性変位させる。この段階で、ロック用切欠き部１３８がロック片１２３より外れて、ドア部材１１０のロックが解除される。
【００４７】
続いて、第１のカード１０の先端がドア部材１１０を押して反時計方向に回動させて押し開き、更に、規制部材１５０をＺ１方向に押し上げる。規制部材１５０のＹ１端側は、ピン部１５６，１５７が夫々溝８３，８４内を移動しつつ移動される。
【００４８】
第１のカード１０は、図１７（Ｂ）に示すように、最終位置まで挿入されて、カード収容空間５２に収容されて、コンタクト１１が第１メモリーカード用コンタクト部材６１と接触される（図３（Ｂ）参照）。
【００４９】
規制部材１５０は、図１２（Ｂ）に示すように、板ばね部９５，９６を撓ませつつ、且つ第２メモリーカード用コンタクト部材６２とは干渉しないでＺ１方向に変位する。
【００５０】
また、第１のカード１０は、Ｘ１−Ｘ２方向については、複合機能部材１３０のばね力によってＸ１側に押されてレール部６６の内側面に押し付けられて位置を決められ、Ｚ１−Ｚ２方向については、板ばね部９５，９６のばね力によって規制部材１５０を介して支持面６８ａに押し付けられて位置を決められる。よって、コンタクト１１が第１メモリーカード用コンタクト部材６１と正常に接触される。
【００５１】
接続されている第１のカード１０の後端を手の指先で押してカードを少し押し込み、手の指先を離すことによって、プッシュ・プッシュ式のイジェクト機構が動作して、第１のカード１０が少し押し出される。操作者は手の指先でカードの後部を掴んで引き出すことによって、第１のカード１０が取り出される。
【００５２】
第１のカード１０の引き出しに追従するように、規制部材１５０が板ばね部９５，９６のばね力によってＺ２方向に変位され、ドア部材１１０が閉じる方向である時計方向に回動される。ドア部材１１０が完全に閉じた状態に復帰した後に、山形部分１３６がＸ１方向に復元し、ロック用切欠き部１３８がロック片１２３に係合して、ドア部材１１０はロックされる。
［第２のカード２０の接続］
図１８（Ａ）は第２のカード２０の接続開始時の状態を示し、図１８（Ｂ）は第２のカード２０の接続完了時の状態を示す。
【００５３】
第２のカード２０は表裏逆の向きでカード挿入口５１に挿入する。第２のカード２０はＺ１側の面のＸ１、Ｘ２側の縁に沿って、段溝２２，２３を有する。第２のカード２０がカード挿入口５１に挿入されると、最初に段溝２３がカード案内片１３４によってＺ２方向へ案内され、以後は、第２のカード２０はその高さ位置を維持して挿入される。第２のカード２０のＸ２側の側面が突起部１３７を押して、本体部１３１を山形部分１３６をＸ２方向に弾性変位させる。この段階で、ドア部材１１０のロックが解除される。
【００５４】
以後の動作は上記の第１のカード２０の接続時と同様である。即ち、続いて、第２のカード２０の先端がドア部材１１０を押して反時計方向に回動させて押し開き、更に、規制部材１５０をＺ１方向に押し上げる。
【００５５】
第２のカード２０は、図１８（Ｂ）に示すように、最終位置まで挿入されて、カード収容空間５２に収容されて、コンタクト２１が第２メモリーカード用コンタクト部材６２と接触される（図３（Ｂ）参照）。
【００５６】
規制部材１５０は、図１２（Ｂ）に示すように、板ばね部９５，９６を撓ませつつ、且つ第２メモリーカード用コンタクト部材６２とは干渉しないでＺ１方向に変位する。
【００５７】
接続されている第２のカード２０の取り出しは、前記の第１のカード１０を取り出す操作と同様に行うことによってなされる。規制部材１５０及びドア部材１１０は元の位置に戻って、ドア部材１１０はロックされる。
［第３のカード３０の接続］
図１９（Ａ）は第３のカード３０の接続開始時の状態を示し、図１９（Ｂ）は第３のカード３０の接続完了時の状態を示す。
【００５８】
図１９（Ａ）の状態では、ドア部材１１０は閉じた状態にロックされており、規制部材１５０はＹ２端とＹ１端の両端についてＺ２方向へ変位しないように規制されている。
【００５９】
第３のカード３０は、図１９（Ａ）に示すように、ガイド支持凹部６９に嵌合するようにしてカード挿入口５１に挿入する。第３のカード３０は、複合機能部材１３０には接触しないで挿入される。よって、ドア部材１１０はロックされた状態を維持する。
【００６０】
第３のカード３０は、ドア部材１１０の下側の第３のカード用挿入口５１Ｘを通って、図１９（Ｂ）に示す最終位置まで挿入されて、カード収容空間５２に収容される。
【００６１】
第３のカード用挿入口５１Ｘを通り抜けた第３のカード３０の先端側の部分は、図２０に示すように規制部材１５０の段部１５８の下側に入り込み、規制部材１５０によって上面を規制されてＺ１方向へ浮き上がらないように制限される。よって、コンタクト３１が第３メモリーカード用コンタクト部材６３と正常に接触される。
【００６２】
接続されている第３のカード３０の取り出しは、前記の第１のカード１０を取り出す操作と同様に行うことによってなされる。
【実施例２】
【００６３】
図２１は本発明の第２実施例のカード用コネクタ２００を第１、第２、第３のカード１０、２０、３０と対応させて示す。図２２はカード用コネクタ２００の縦断側面図である。図２３はカード用コネクタ２００をそのカバー部材を取り外した状態で示す図である。図２４は第３のカード用トレイ２３０が突き出ている状態のカード用コネクタ５０Ａを示す。図２５はハウジング２１０を示す。
【００６４】
カード用コネクタ２００は、ハウジング２１０の上面のうちＹ１側にコンタクトホルダ部材２２０が固定され、ハウジング２１０の上面のうちＹ２側に第３のカード用トレイ２３０が載っており、全体が金属板製のカバー部材２４０で覆われ、長さＬ１１、幅Ｗ１１、高さＨ１１の偏平の直方体形状を有する。また、カード用コネクタ２００は、Ｙ２側に、第１、第２のカード１０、２０に共通である一つのカード挿入口２０１を有し、内部に、カード挿入口２０１と連通したカード収容空間２０２を有し、このカード収容空間２０２のＺ１側（上側）の箇所に、トレイ２２０が出入り可能に配置して構成である。
【００６５】
図２５に示すように、ハウジング２１０は、合成樹脂の成形部品であり、第１カード用コンタクト部材６１Ａと、第２カード用コンタクト部材６２Ａがインサート成形されている。図２５には、図示の便宜上、第３カード用コンタクト部材６３Ａも併せて示してある。
【００６６】
コンタクトホルダ部材２２０は、合成樹脂の成形部品であり、第３メモリーカード用コンタクト部材６３Ａがインサート成形されている。
【００６７】
第３のカード用トレイ２３０は、合成樹脂の成形部品であり、第３のカード３０に対応する凹部２３１を有する。凹部２３１のＹ１端には、第３メモリーカード用コンタクト部材６３に対応する切り欠き部２３２を有する。また、凹部２３１は、開口２３３を有し、この開口２３３内に片部２３４が、Ｙ１側からＹ２方向に延在して形成してある。片部２３４は、片持ち梁状であり、ばね性をし、片部２３４の先端２３４ａは凹部２３１の上面よりＺ１方向に変位した高さに位置している。片部２３４は、後述するように、第１又は第２のカード１０、２０が接続されているときに、第３のカード３０が接続されることを制限し、且つ、第３のカード３０が接続されているときに、第１又は第２のカード１０、２０が接続されることを制限するように働く。また、トレイ２３０は、Ｙ２方向の端に、凸部２３５を有する。
【００６８】
カバー部材２４０は、第３のカード３０を押さえる板ばね部２４１，２４２を有する。
【００６９】
また、カード用コネクタ２００は内部に、プッシュ・プッシュ式のイジェクト機構（図示せず）を有する。
［第１のカード１０の接続］
第１のカード１０は、図２６に示すように、カード挿入口２０１に挿入し、手の指先でカードの後端を押して、それ以上の挿入が制限される最終位置まで押し込むことによってカード収容空間２０２内に収容されて、コンタクト１１が第１カード用コンタクト部材６１Ａと接触されてカード用コネクタ２００と接続される。
【００７０】
接続されている第１のカード１０の後端を手の指先で押してカードを少し押し込み、手の指先を離すことによって、プッシュ・プッシュ式のイジェクト機構が動作して、第１のカード１０が少し押し出される。操作者は手の指先でカードの後部を掴んで引き出すことによって、第１のカード１０が取り出される。
［第２のカード２０の接続］
第２のカード２０は、図２７に示すように、カード挿入口２０１に挿入し、手の指先でカードの後端を押して、それ以上の挿入が制限される最終位置まで押し込むことによってカード収容空間２０２内に収容されて、コンタクト２１が第２カード用コンタクト部材６２Ａと接触されてカード用コネクタ２００と接続される。
【００７１】
接続されている第２のカード２０の取り出しは、前記の第１のカード１０を取り出す操作と同様に行うことによってなされる。
［第３のカード３０の接続］
先ず、手の指先で凸部２３５を押し、手の指先を離す。この操作によって、プッシュ・プッシュ式のイジェクト機構が動作して、トレイ２３０が図２４に示すうに突き出る。次いで、第３のカード３０をトレイ２３０に載せ、手の指先でトレイ２３０を押し込む。これによって、図２８に示すように、第３のカード３０は、板ばね部２４１，２４２によってＺ２方向に押さえられ、コンタクト３１が第３メモリーカード用コンタクト部材６３Ａと接触されて接続される。
【００７２】
手の指先で凸部２３５を押して、手の指先を離す操作を行うと、プッシュ・プッシュ式のイジェクト機構が動作して、トレイ２３０が第３のカード３０と共に押し出される。第３のカード３０は片部２３４によって少し押し上げられた状態となる。操作者は手の指先で第３のカード３０を掴んで引き上げれば、第３のカード３０が取り出される。
［第１又は第２のカード１０、２０が接続されているときの第３のカード３０の接続制限、及び、第３のカード３０が接続されているときの第１又は第２のカード１０、２０が接続制限］
第１又は第２のカード１０、２０が接続されているときに、トレイ２３０を操作するとトレイ２３０は図２９に示すように突き出る。しかし、片部２３４は接続されている第１又は第２のカード１０、２０の上面に当たってＺ２方向への変位を制限された状態にある。よって、第３のカード３０の接続は出来ない。
【００７３】
また、第３のカード３０が接続された状態では、図２８に符号２４０で示すように、片部２３４の一部がトレイ２３０の下側のカード収容空間２０２のうちカード挿入口２０１の近くの箇所に突き出ている。この突き出し部分２４０が第１又は第２のカード１０、２０の挿入を妨害し、第１又は第２のカード１０、２０の接続が制限される。
【００７４】
また、第１、第２のカード１０、２０に作用するプッシュ・プッシュ式のイジェクト機構と第３のカード用トレイ２３０に作用するプッシュ・プッシュ式のイジェクト機構とを一方のイジェクト機構が動作したときには他方のイジェクト機構が動作できないように係わり合いをもたせて、第１又は第２のカード１０、２０が接続されているときには第３のカード３０の接続が出来ないようにし、第３のカード３０が接続されているときには第１又は第２のカード１０、２０の接続が出来ないようにすることも出来る。
【００７５】
なお、第１カード１０と第２のカード２０と第３のカード３０の組み合わせは、上記のメモリースティック（商標）、ＳＤカード（商標）、メモリースティックＤｕｏ（商標）の組み合わせに限らない。例えば、第２のカード２０として、ＳＤカード（商標）に代えて、MMCplus（マルチメディアカードプラス）（商標）を使用することも可能である。
【図面の簡単な説明】
【００７６】
【図１】第１、第２、第３のカードを表裏反転した状態で示すと共にカードの長さ、幅、厚さ寸法の表を示す図である。
【図２】本発明の第1実施例になるカード用コネクタを第１、第２、第３のカードと対応させて示す斜視図である。
【図３】カード用コネクタに接続された第１、第２、第３のカードの位置関係を示す図である。
【図４】カード用コネクタの縦断側面図であり、（Ａ）はカード挿入前の状態、（Ｂ）は制御装置が動作したときの状態を示す図である。
【図５】カバー部材をとり外した状態のカード用コネクタを示す図である。
【図６】カバー部材及び上側ハウジングをとり外した状態のカード用コネクタを示す図である。
【図７】下側ハウジングモジュールを示す図である。
【図８】下側ハウジングを示す図である。
【図９】上側ハウジングを示す図である。
【図１０】カバー部材を表裏反転した姿勢で示す図である。
【図１１】制御機構を拡大して示す斜視図であり、（Ａ）は動作前の状態、（Ｂ）は動作したときの状態を示す図である。
【図１２】制御機構を拡大して示す断面図であり、（Ａ）は動作前の状態、（Ｂ）は動作したときの状態を示す図である。
【図１３】ドア部材を示す図であり、（Ａ）は正面側から、（Ｂ）は背面側からみて示す図である。
【図１４】ドア部材を示す図であり、（Ａ）は一部切截正面図、（Ｂ）は拡大右側面図である。
【図１５】複合機能部材の斜視図である。
【図１６】規制部材の斜視図である。
【図１７】（Ａ）は第１のカードの接続開始時の状態を示し、（Ｂ）は接続完了時の状態を示す図である。
【図１８】（Ａ）は第２のカードの接続開始時の状態を示し、（Ｂ）は接続完了時の状態を示す図である。
【図１９】（Ａ）は第３のカードの接続開始時の状態を示し、（Ｂ）は接続完了時の状態を示す図である。
【図２０】規制部材が第３のカードを規制している状態を拡大して示す図である。
【図２１】本発明の第２実施例になるカード用コネクタを第１、第２、第３のカードと対応させて示す斜視図である。
【図２２】カード用コネクタの縦断側面図である。
【図２３】カバー部材をとり外した状態のカード用コネクタを示す図である。
【図２４】第３のカード用トレイが突き出ている状態のカード用コネクタを示す図である。
【図２５】ハウジングを示す図である。
【図２６】第１のカードが接続された状態を示す図である。
【図２７】第２のカードが接続された状態を示す図である。
【図２８】第３のカードが接続された状態を示す図である。
【図２９】第１のカードが接続されている状態で第３のカード用トレイが突き出た状態を示す図である。
【符号の説明】
【００７７】
１０  第１のカード（メモリースティック）
２０  第２のカード（ＳＤカード）
３０  第３のカード（メモリースティックＤｕｏ）
５０，５０Ａ  カード用コネクタ
５１，２０１  カード挿入口
５１Ｘ  第３のカード用挿入口
５２，２０２  カード収容空間
６０  下側ハウジング
６１，６１Ａ  第１のカード用コンタクト部材
６２，６２Ａ  第２のカード用コンタクト部材
６３，６３Ａ  第３のカード用コンタクト部材
６５  板部
６６，６７  レール部
６６ａ，６７ａ  溝部
６８ａ、６８ｂ、６８ｃ  支持面
６９  ガイド支持凹部
７０、７１  開口
７２  凹部
７５  下側ハウジングモジュール
８０  上側ハウジング
８１，８２  開口
８３、８４  略半円状の溝突起
８３ａ，８４ａ  始端部
８５，８６  突起片
９０  カバー部材
９１  天板部
９２，９３  側板部
９４  背面板部
９５，９６，９７  板ばね部
１００  制御機構
１１０  ドア部材
１１１  細長板部
１１２，１１３  軸部
１１４，１１５  軸受部
１１６  本体部
１１７，１１８  端側部
１２０，１２１  スリット
１２３  ロック片
１３０  複合機能部材
１３１  本体部
１３２  Ｕ字形状部
１３３  斜め部分
１３４  カード案内片
１３５  先端部
１３６  山形部分
１３７  半球形状の突起部
１３８  ロック用切欠き部
１３９  カード案内片
１５０  規制部材
１５１  櫛歯部
１５２，１５３  軸部
１５４，１５５  歯
１５４ａ，１５５ａ  傾斜面部
１５４ｂ，１５５ｂａ  突起部
１５６，１５７  ピン部
１５８  段部
２１０  ハウジング
２２０  コンタクトホルダ部材
２３０  第３のカード用トレイ
２３１  凹部
２３２  切り欠き部
２３３  開口
２３４  片部
２３４ａ  先端
２３５  凸部
２４０  カバー部材
２４１，２４２  板ばね部
【図１】
2008218045.tif 000003
【図２】
2008218045.tif 000004
【図３】
2008218045.tif 000005
【図４】
2008218045.tif 000006
【図５】
2008218045.tif 000007
【図６】
2008218045.tif 000008
【図７】
2008218045.tif 000009
【図８】
2008218045.tif 000010
【図９】
2008218045.tif 000011
【図１０】
2008218045.tif 000012
【図１１】
2008218045.tif 000013
【図１２】
2008218045.tif 000014
【図１３】
2008218045.tif 000015
【図１４】
2008218045.tif 000016
【図１５】
2008218045.tif 000017
【図１６】
2008218045.tif 000018
【図１７】
2008218045.tif 000019
【図１８】
2008218045.tif 000020
【図１９】
2008218045.tif 000021
【図２０】
2008218045.tif 000022
【図２１】
2008218045.tif 000023
【図２２】
2008218045.tif 000024
【図２３】
2008218045.tif 000025
【図２４】
2008218045.tif 000026
【図２５】
2008218045.tif 000027
【図２６】
2008218045.tif 000028
【図２７】
2008218045.tif 000029
【図２８】
2008218045.tif 000030
【図２９】
2008218045.tif 000031